(57)【要約】【課題】ケースの側壁の周りに十分なスペースがなくてもコネクタのハウジング部をケースの側壁に押圧固定することができるコネクタの固定構造を提供することを課題とする。【解決手段】ナット挿入孔６にナット７を挿入した状態で、支持部材５の第１の傾斜面１２にスライド部材８の第２の傾斜面１４を当接させて支持部材５に対しスライド部材８をケース１の側壁２に向かってスライドさせることでハウジング部４の端面４ａをケース１の側壁２に当接させ、その後に、上方からスライド部材８のネジ挿入孔１５及び支持部材５のネジ挿入孔１３にネジ９を挿通してナット７に螺合する。ネジ９を締め付けるのに応じて、第１及び第２の傾斜面１２及び１４を介してスライド部材８が支持部材５に対しケース１の側壁２に向かってスライドし、これによりハウジング部４の端面４ａがケース１の側壁２に押圧固定される。【選択図】図４
2008235005.tif 000002
【特許請求の範囲】
【請求項１】
ケース内の電子機器に接続されるコネクタのハウジング部をケースの側壁外面に固定する構造において、
ケースの側壁の外面に突出形成され且つその上部にケースの側壁に向かって下降する傾斜面を有すると共にその上下方向にネジ挿入孔が形成された支持部材と、
コネクタのハウジング部に形成され且つその底部に前記支持部材の傾斜面に対応する傾斜面を有すると共にその上下方向にネジ挿入孔が形成されたスライド部材と、
前記スライド部材のネジ挿入孔及び前記支持部材のネジ挿入孔に挿入されるネジと
を備え、前記支持部材の傾斜面に前記スライド部材の傾斜面を当接させて上方から前記スライド部材のネジ挿入孔を介し前記支持部材のネジ挿入孔に前記ネジを挿入してネジ留めすることにより、前記スライド部材が前記支持部材に対しケースの側壁に向かってスライドしてコネクタのハウジング部がケースの側壁に押圧固定されることを特徴とするコネクタの固定構造。
【請求項２】
前記支持部材のネジ挿入孔は、ケースの側壁に対して垂直な方向に延びる長孔であり、前記支持部材には、ケースの側壁に対し垂直な方向に延在してネジ挿入孔に交差するナット挿入孔が形成され、前記ナット挿入孔によりナットをスライド自在に保持した状態で前記支持部材のネジ挿入孔に挿入された前記ネジの先端を前記ナットに螺合してネジ留めすることにより、前記スライド部材が前記ネジ及び前記ナットと共に前記支持部材に対しケースの側壁に向かってスライドする請求項１に記載のコネクタの固定構造。
【請求項３】
ケースの側壁の外面に配置される一対の前記支持部材と、それらに対応してコネクタのハウジング部に設けられる一対の前記スライド部材と、それぞれの前記スライド部材を対応する前記支持部材にネジ留めするための一対の前記ネジとを有する請求項１及び２に記載のコネクタの固定構造。
【請求項４】
コネクタのハウジング部は、防水部材を介してケースの側壁に押圧固定される請求項１〜３のいずれか一項に記載のコネクタの固定構造。
【発明の詳細な説明】
【技術分野】
【０００１】
この発明は、コネクタの固定構造に係り、特にケース内の電子機器に接続されるコネクタのハウジング部をケースの側壁の外面に固定する構造に関する。
【背景技術】
【０００２】
車両等に電子機器を搭載するときには、一般に、電子機器が収容されたケースを車両内に組み付け、その後に、外部機器に接続されたコネクタをケース内の電子機器に接続して電子機器と外部機器との間を配線することが知られている。このとき、例えばコネクタはケースに形成された開口を介してケース内の電子機器に接続されるが、電子機器及びコネクタは防水される必要があるため、ケースの開口の周縁部に環状のグロメット等を配置して、ここにコネクタのハウジング部を押圧固定することで水分の侵入を防止することができる。
【０００３】
特に、車両内のレイアウト及びスペース等の制約により、ケースの側部からケース内の電子機器にコネクタを接続する必要がある場合には、例えば特許文献１に開示されているように、コネクタのハウジング部及びケースの開口の周縁部にケースの側方からネジを挿通してネジ留めすることにより、コネクタのハウジング部がケースの側壁に押圧固定される。また、コネクタのハウジング部には予めグロメットが装着されると共に、ケースの側壁に形成された開口を介してケース内の電子機器に外部からコネクタを接続している。
【０００４】
【特許文献１】特開２００５−３２７５６１号公報
【発明の開示】
【発明が解決しようとする課題】
【０００５】
しかしながら、車両内への電子機器の搭載位置及び搭載順序等に起因してケースの側壁の周りに十分なスペースがない場合には、特許文献１のようにケースの側方からネジ留めしてコネクタのハウジング部をケースの側壁外面に固定することは困難である。
この発明はこのような問題点を解消するためになされたもので、ケースの側壁の周りに十分なスペースがなくてもコネクタのハウジング部をケースの側壁に押圧固定することができるコネクタの固定構造を提供することを目的とする。
【課題を解決するための手段】
【０００６】
この発明に係るコネクタの固定構造は、ケース内の電子機器に接続されるコネクタのハウジング部をケースの側壁外面に固定する構造において、ケースの側壁の外面に突出形成され且つその上部にケースの側壁に向かって下降する傾斜面を有すると共にその上下方向にネジ挿入孔が形成された支持部材と、コネクタのハウジング部に形成され且つその底部に支持部材の傾斜面に対応する傾斜面を有すると共にその上下方向にネジ挿入孔が形成されたスライド部材と、スライド部材のネジ挿入孔及び支持部材のネジ挿入孔に挿入されるネジとを備え、支持部材の傾斜面にスライド部材の傾斜面を当接させて上方からスライド部材のネジ挿入孔を介し支持部材のネジ挿入孔にネジを挿入してネジ留めすることにより、スライド部材が支持部材に対しケースの側壁に向かってスライドしてコネクタのハウジング部がケースの側壁に押圧固定されるものである。
【０００７】
支持部材のネジ挿入孔は、ケースの側壁に対して垂直な方向に延びる長孔であり、支持部材には、ケースの側壁に対し垂直な方向に延在してネジ挿入孔に交差するナット挿入孔が形成され、ナット挿入孔によりナットをスライド自在に保持した状態で、上記支持部材のネジ挿入孔に挿入されたネジの先端をナットに螺合してネジ留めすることにより、スライド部材がネジ及びナットと共に支持部材に対しケースの側壁に向かってスライドするように構成することもできる。
【０００８】
好適には、ケースの側壁の外面に配置される一対の支持部材と、それらに対応してコネクタのハウジング部に設けられる一対のスライド部材と、それぞれのスライド部材を対応する支持部材にネジ留めするための一対のネジとを有する。
また、コネクタのハウジング部は、防水部材を介してケースの側壁に押圧固定されることが好ましい。
【発明の効果】
【０００９】
この発明によれば、ケースの側壁の周りに十分なスペースがなくてもコネクタのハウジング部をケースの側壁に押圧固定することができる。
【発明を実施するための最良の形態】
【００１０】
以下、この発明の実施の形態を添付図面に基づいて説明する。
図１〜４を参照して、この発明の実施の形態に係るコネクタの固定構造を説明する。ケース１の側壁２の外面にコネクタ３のハウジング部４が固定されている。ケース１は、筐体形状を有すると共にその内部に図示しない電子機器が収容されている。ケース１の側壁２の外面には一対の支持部材５が突出形成されており、支持部材５の内部に形成されたナット挿入孔６にナット７が挿入されている。
コネクタ３のハウジング部４には、一対の支持部材５に対応する一対のスライド部材８が形成されており、それぞれのスライド部材８がネジ９により対応する支持部材５にネジ留めされることで、コネクタ３のハウジング部４がケース１の側壁２に固定されると共に、コネクタ３のハウジング部４の端面４ａが側壁２の外面に押圧されている。
【００１１】
ケース１の側壁２には、一対の支持部材５の間に位置し且つコネクタ３が対向配置される部分に、コネクタ３の図示しない接続端子をケース１内に挿入するための開口１０が形成されている。また、コネクタ３のハウジング部４の端面４ａに図示しない環状溝が形成されており、この環状溝にグロメット等からなる環状の防水部材１１が取り付けられた状態でハウジング部４の端面４ａがケース１の側壁２の開口１０の周縁部に押圧されることにより、図示しない電子機器及びコネクタ３の接続端子の防水性が確保されている。
【００１２】
なお、ケース１及びコネクタ３のハウジング部４はそれぞれアルミ等から形成されている。また、端面４ａ以外のハウジング部４の面からケーブルを引き出して図示しない外部機器に接続することにより、外部機器と電子機器とを電気的に接続することができる。
【００１３】
ここで、図４に示されるように、支持部材５はその一端部がケース１の側壁２に固定されると共に、支持部材５の上部には、ケース１の側壁２に向かって下降する第１の傾斜面１２が形成されている。また、支持部材５の下部にナット挿入孔６が配置されている。ナット挿入孔６は、支持部材５の一端部からケース１の側壁２に対し垂直な方向に延在して支持部材５の他端部で開口するように形成されており、このナット挿入孔６にナット７が挿入されてスライド自在に保持されている。さらに、支持部材５には、その上下方向に延在してナット挿入孔６に交差するネジ挿入孔１３が形成されている。このネジ挿入孔１３は、第１の傾斜面１２のケース１の側壁２に近接する端部から第１の傾斜面１２の中間部までケース１の側壁２に対して垂直な方向に延びる長孔形状を有している。
【００１４】
スライド部材８は、ケース１の側壁２に対向するコネクタ３のハウジング部４の端面４ａ近傍に固定されている。スライド部材８の底部には、ハウジング部４の端面４ａに向かうほど下降すると共に第１の傾斜面１２に対応する第２の傾斜面１４が下方を向いて形成されている。また、スライド部材８には、このスライド部材８を上下方向に貫通するネジ挿入孔１５が形成されている。
【００１５】
支持部材５の上にスライド部材８が配置されて第１の傾斜面１２に第２の傾斜面１４が当接されると共に、上方からスライド部材８のネジ挿入孔１５及び支持部材５のネジ挿入孔１３に通されたネジ９の先端がナット挿入孔６に挿入されたナット７に螺合されてスライド部材８が支持部材５に対しネジ留めされており、これによりコネクタ３のハウジング部４がケース１の側壁２に固定されている。
【００１６】
次に、この実施の形態に係るコネクタの固定構造の作用を説明する。コネクタ３のハウジング部４をケース１の側壁２に固定する際には、まず、各支持部材５のナット挿入孔６にナット７を挿入すると共に、ハウジング部４の端面４ａの図示しない環状溝に防水部材１１を取り付ける。次に、一対の支持部材５の第１の傾斜面１２上にそれぞれ対応するスライド部材８の第２の傾斜面１４を当接させて支持部材５に対しスライド部材８をケース１の側壁２に向かってスライドさせることにより、ハウジング部４の端面４ａをケース１の側壁２の開口１０の周縁部に当接させる。
【００１７】
さらに、スライド部材８の上方からネジ９の先端をスライド部材８のネジ挿入孔１５及び支持部材５のネジ挿入孔１３に挿入してナット挿入孔６内のナット７に螺合することによりスライド部材８を支持部材５にネジ留めし、これによりコネクタ３のハウジング部４をケース１の側壁２に固定する。ここで、支持部材５のネジ挿入孔１３はケース１の側壁２に対し垂直な方向に延びる長孔であると共にナット７はナット挿入孔６にスライド自在に保持されている。よって、ネジ９がナット７に対し締め付けられるのに応じて、第１の傾斜面１２及び第２の傾斜面１４を介してスライド部材８がネジ９及びナット７と共に支持部材５に対しケース１の側壁２に向かってスライドする。これによりコネクタ３のハウジング部４の端面４ａがケース１の側壁２の外面に対し押圧される。
このように、コネクタ３のハウジング部４をケース１の側壁２の外面に押圧固定することができる。
【００１８】
なお、このとき、ハウジング部４がケース１の側壁２に固定されるのに伴って、コネクタ３の接続端子がケース１の側壁２の開口１０を介しケース１内の図示しない電子機器に電気的に接続される。
【００１９】
以上のように、支持部材５に対しスライド部材８を上方からネジ留めすることにより、コネクタ３のハウジング部４をケース１の側壁２の外面に押圧固定することができるため、ケース１の側壁２の周りに十分なスペースがない場合でもケース１の側壁２に対するハウジング部４の固定を容易に行うことができる。
したがって、ケース１に収容された電子機器を車両等に搭載する際の搭載位置及び搭載順序の自由度を向上させることができる。
【００２０】
なお、支持部材５の第１の傾斜面１２及びスライド部材８の第２の傾斜面１４のうち少なくとも一方に予め潤滑油を塗布することにより、スライド部材８を支持部材５に対しスライドさせるときに第１の傾斜面１２と第２の傾斜面１４との間に生じる摩擦が低減され、スライド部材８を支持部材５に対してスムーズにスライドさせることができる。
また、上述のように潤滑剤を塗布する代わりに、支持部材５の第１の傾斜面１２及びスライド部材８の第２の傾斜面１４のうち少なくとも一方を予めテフロン（登録商標）等の低摩擦材によりコーティングしても同様の効果が得られる。
【００２１】
また、上述の実施の形態では、支持部材５のネジ挿入孔１３が長孔であると共にナット挿入孔６によりナット７がスライド自在に保持されることで、スライド部材８がネジ９及びナット７と共に支持部材５に対しスライド自在であったが、その代わりに、支持部材５にほぼ円柱形状を有し且つその内面に雌ネジが切られたネジ挿入孔を形成すると共に、スライド部材８にケース１の側壁２に対し垂直な方向に延びる長孔形状のネジ挿入孔を形成し、上方からスライド部材８のネジ挿入孔にネジ９の先端を通し支持部材５のネジ挿入孔の雌ネジに螺合することにより、スライド部材８のみを支持部材５に対しスライド自在に構成することができる。
このように構成しても、ネジ９を支持部材５のネジ挿入孔の雌ネジに締め付けるのに応じて、第１の傾斜面１２及び第２の傾斜面１４を介してスライド部材８が支持部材５に対しケース１の側壁２に向かってスライドし、ハウジング部４の端面４ａをケース１の側壁２の外面に対し押圧することができる。
【００２２】
また、一対の支持部材５と一対のスライド部材８が設けられていたが、これら支持部材５及びスライド部材８は少なくとも１つずつ設けられていればよい。
【図面の簡単な説明】
【００２３】
【図１】この発明の実施の形態に係るコネクタの固定構造を示す斜視図である。
【図２】実施の形態に係るコネクタの固定構造を示す分解斜視図である。
【図３】実施の形態に係るコネクタの固定構造を示す分解側面図である。
【図４】実施の形態における支持部材にスライド部材がネジ留めされた様子を示す断面図である。
【符号の説明】
【００２４】
１  ケース、２  側壁、３  コネクタ、４  ハウジング部、４ａ  端面、５  支持部材、６  ナット挿入孔、７  ナット、８  スライド部材、９  ネジ、１０  開口、１１  防水部材、１２  第１の傾斜面、１３，１５  ネジ挿入孔、１４  第２の傾斜面。
【図１】
2008235005.tif 000003
【図２】
2008235005.tif 000004
【図３】
2008235005.tif 000005
【図４】
2008235005.tif 000006